(57)【要約】【課題】出来るだけ簡単な構成で手間も費用もかからず、第三者に操作される恐れのない開閉器用引き紐の収納構造を提供する。【解決手段】電柱上に設置されている開閉器の入り切りの操作を地上で行う引き紐１２の把手部１２ａを収納する収納箱Ａを設け、収納箱Ａは前面に開閉扉２を設け、開閉扉２には鍵機構６を設け、収納箱Ａの内部にボルト１０を設け、収納箱Ａの内部であってボルト１０の下方に引き紐１２の把手部１２ａの収納スペース１１を設け、収納箱Ａを電柱の下部の歩行者の手が届かない位置に取り付け、電柱上の収納箱Ａの上方にガイドパイプを取り付け、電柱上の開閉器Ａから垂下した引き紐１２を、ガイドパイプ内を挿通させて収納箱Ａ内に引き込み、収納箱Ａ内に引き込んだ引き紐１２の下端をボルト１０に係止し、さらに、引き紐１２の把手部１２ａを収納スペース１１内に収納する。【選択図】図１
0003125492.tif 000002
【実用新案登録請求の範囲】
【請求項１】
架空線配電線路を張架している電柱上に設置されている開閉器の入り切りの操作を地上で行う引き紐を、当該開閉器の操作用ハンドルに取り付けて垂下させ、当該引き紐の下端部を当該電柱の下部で係止する構造において、
当該引き紐の下端部を収納する収納箱を設け、当該収納箱は前面に開閉扉を設け、当該開閉扉には鍵機構を設け、当該収納箱の内部に係止体を設け、当該収納箱の内部であって当該係止体の下方に上記引き紐の下端部の収納スペースを設け、当該収納箱を上記電柱の下部であって、歩行者の手が届かない位置に取り付け、
当該電柱上の当該収納箱の上方に一定長のガイドパイプを縦方向に取り付け、上記電柱上の開閉器から垂下した引き紐を、当該ガイドパイプ内を挿通させて上記収納箱内に引き込み、当該収納箱内に引き込んだ引き紐の下端を上記係止体に係止し、さらに、当該引き紐の下端を上記収納スペース内に収納することを特徴とする、開閉器操作用ハンドルの引き紐の収納構造。
【請求項２】
上記開閉扉の鍵機構の鍵は開閉扉が開くと鍵穴から抜けず、開閉扉が閉まると鍵穴から抜けるインターロック機構を有することを特徴とする、上記請求項１に記載の開閉器操作用ハンドルの引き紐の収納構造。
【請求項３】
上記ガイドパイプは上下２箇所で装柱バンドによって取り付けることを特徴とする、上記請求項１又は２の何れかに記載の開閉器操作用ハンドルの引き紐の収納構造。
【請求項４】
上記収納箱の底面には貫通孔を設けたことを特徴とする、上記請求項１、２、又は３の何れかに記載の開閉器操作用ハンドルの引き紐の収納構造。
【請求項５】
上記係止体はボルト頭を設けた突棒であることを特徴とする、上記請求項１、２、３、又は４の何れかに記載の開閉器操作用ハンドルの引き紐の収納構造。
【考案の詳細な説明】
【技術分野】
【０００１】
この考案は、架空線配電線路を張架している電柱上に設置されている開閉器において、当該開閉器の開閉操作用のハンドルの両端に取り付けて垂下させ、地上で当該開閉器の入り切りの操作を行う引き紐の下端部を、当該電柱の下部に取り付けて収納する開閉器操作用ハンドルの引き紐の収納構造に関するものである。
【背景技術】
【０００２】
従来、電柱を利用して架空線配電線路を張架しており、この様な電柱の上部には開閉器を設置している。そして、当該開閉器を操作するためには、電柱を登って直接開閉器の操作用ハンドルを回して入り切りの操作を行っていた。しかし、地上から電柱上の開閉器を操作することができたならば、作業効率は著しく向上し、作業者の労力も省ける。
【０００３】
そこで、上記操作用ハンドルの両端に各引き紐の一端を夫々取り付け、これらの各引き紐の他端を下方へ垂下させ、地上でこれらの引き紐を引っ張って電柱の開閉器の開閉操作を行っている。そして、これらの引き紐の下端は、通常は地上からかなり離れた位置にある電柱の金具等に巻きつけて固定しており、この場合、引き紐を巻きつけて固定したものが風雨で解けたり、周りの機材に絡まったりしていて使用するときに支障があった。
【０００４】
この様に地上から電柱上の開閉器の操作を行う装置として、電柱の下方に開閉器操作箱を備え、この操作箱の上部には、操作紐のガイドが二本設けられ、内部には水平方向に配置された軸に、回転自在に取り付けられたローラーが設けられ、上記開閉器を操作するための操作紐が、上記操作箱のガイドを介して当該操作箱に導入され、上記ローラーを介して操作紐を手前の水平方向に引くことによって、上記開閉器の開閉を行うというものがある。
【特許文献１】実開平５−４３４４５号公報
【考案の開示】
【考案が解決しようとする課題】
【０００５】
しかしながら、この様な電柱に取り付けた開閉器操作装置では、操作箱内に水平に軸を設け、この軸に二つのローラーを設け、これらのローラーを介して操作紐を引っ張るなど、この収納箱内に機械的な構成が設けられており、このような構成を設けるには手間と費用がかかる。
【０００６】
そこで、この考案は、出来るだけ簡単な構成で手間も費用もかからず、かつ第三者に操作される恐れのない開閉器操作用ハンドルの引き紐の収納構造を提供するものである。
【課題を解決するための手段】
【０００７】
請求項１の考案は、架空線配電線路を張架している電柱上に設置されている開閉器の入り切りの操作を、地上で行う引き紐を当該開閉器の操作用ハンドルに取り付けて垂下させ、当該引き紐の下端部を当該電柱の下部で係止する構造において、当該引き紐の下端部を収納する収納箱を設け、当該収納箱は前面に開閉扉を設け、当該開閉扉には鍵機構を設け、当該収納箱の内部に係止体を設け、当該収納箱の内部であって当該係止体の下方に上記引き紐の下端部の収納スペースを設け、当該収納箱を上記電柱の下部であって、歩行者の手が届かない位置に取り付ける。
【０００８】
当該電柱上の当該収納箱の上方に一定長のガイドパイプを縦方向に取り付け、上記電柱上の開閉器から垂下した引き紐を、当該ガイドパイプ内を挿通させて上記収納箱内に引き込み、当該収納箱内に引き込んだ引き紐の下端を上記係止体に係止し、さらに、当該引き紐の下端を上記収納スペース内に収納する開閉器操作用ハンドルの引き紐の収納構造とした。
【０００９】
請求項２の考案は、上記開閉扉の鍵機構の鍵は開閉扉が開くと鍵穴から抜けず、開閉扉が閉まると鍵穴から抜けるインターロック機構を有する上記請求項１に記載の開閉器操作用ハンドルの引き紐の収納構造とした。
【００１０】
請求項３の考案は、上記ガイドパイプは上下２箇所で装柱バンドによって取り付ける上記請求項１又は２の何れかに記載の開閉器操作用ハンドルの引き紐の収納構造とした。
【００１１】
請求項４の考案は、上記収納箱の底面には貫通孔を設けた上記請求項１、２、又は３の何れかに記載の開閉器操作用ハンドルの引き紐の収納構造とした。また、請求項５の考案は、上記係止体はボルト頭を設けた突棒である上記請求項１、２、３、又は４の何れかに記載の開閉器操作用ハンドルの引き紐の収納構造とした。
【考案の効果】
【００１２】
請求項１の考案によれば、収納箱の内部に係止体と引き紐の下端部の収納スペースを設け、電柱上の開閉器から垂らされた引き紐を当該収納箱内の係止体に係止し、収納スペース内に収納するようにしたので、引き紐の取り付け収納、及び取り出しを簡単に、短時間で行うことが出来、作業効率が良い。また、ありふれた、目立たない収納箱を使用して、引き紐をコンパクトに収納出来、収納箱の開閉扉に鍵機構を設け、かつガイドパイプとの併用により、第三者に操作される恐れはない。また、ガイドパイプの中を通して引き紐を垂下させているため、当該引き紐が風雨で絡まることもない。さらに、収納箱やガイドパイプの構成が簡単なため、低コストで製品化することが出来、採用し易いものである。
【００１３】
請求項２の考案によれば、上記開閉扉の鍵機構の鍵は開閉扉が開くと鍵穴から抜けず、開閉扉が閉まると鍵穴から抜けるインターロック機構を有するので、当該鍵を紛失することがなく、作業者が安心して作業を行うことが出来、作業性の向上にもつながる。
【００１４】
請求項３の考案によれば、上記ガイドパイプは市販の装柱バンドによって取り付けることとしたので、ガイドパイプ取り付けのための特別な用具が要らず、コスト削減にも通じ、この考案の取り付け構造を採用し易くするものである。
【００１５】
また、請求項４の考案によれば、上記収納箱の底面には貫通孔を設け、当該収納箱内に浸水しても溜まらないようにしたので、当該収納箱内に湿気がたまらず、微生物の繁殖などを防ぐことが出来、湿気による侵食や腐食を防ぎ、当該収納箱の長期間に亘る使用を可能にするものである。さらに、請求項５の考案によれば、上記係止体はボルト頭を設けた突棒としたので、引き紐を係止し易く、また、一旦係止した後は、無闇に解けにくいものである。
【考案を実施するための最良の形態】
【００１６】
架空線配電線路を張架している電柱上に設置されている開閉器の入り切りの操作を地上で行う引き紐を、当該開閉器の操作用ハンドルに取り付けて垂下させ、当該引き紐の下端部を当該電柱の下部で係止する構造において、当該引き紐の下端部を収納する直方体形状の収納箱を設け、当該収納箱は前面に開閉扉を設け、当該開閉扉には鍵機構を設け、当該収納箱の内部に係止体を設け、当該収納箱の内部であって当該係止体の下方に上記引き紐の下端部の収納スペースを設け、当該収納箱を上記電柱の下部であって、歩行者の手が届かない位置に取り付ける。
【００１７】
当該電柱上の当該収納箱の上方に一定長のガイドパイプを縦方向に取り付け、上記電柱上の開閉器から垂下した引き紐を、当該ガイドパイプ内を挿通させて上記収納箱内に引き込み、当該収納箱内に引き込んだ引き紐の下端を上記係止体に係止し、さらに、当該引き紐の下端を上記収納スペース内に収納する。
【００１８】
これらにより、引き紐の取り付け収納、及び取り出しを簡単に、短時間で行うことが出来、作業効率が良いものである。
【実施例１】
【００１９】
以下、この考案の実施例を図に基づいて説明する。
図１は、この考案の実施例の収納箱の中に、開閉器の操作用ハンドルの両端から垂下された引き紐を取り込み、ボルトに巻きまわした後、縛り付けて、引き紐の把手部を収納スペースの中に入れた状態の斜視図であり、図２は、同収納箱の正面図であり、図３は、同収納箱の側面図であり、図４は、同収納箱の平面図であり、図５は、同収納箱の底面図であり、図６は、同収納箱の表面に設けた鍵穴の正面図であり、図７は、同収納箱の鍵穴とこの鍵穴の表面に設けたカバーを１８０度ずらした状態の正面図である。
【００２０】
この考案の実施例の収納箱Ａは、これらの図に示すように、扁平な直方体を立設し、この直方体は本体１と本体１の前面に設けた開閉扉２とから成り、当該開閉扉２は右側の上下二個所に設けられた蝶番３によって、本体１に対して開閉自在となっている。開閉扉２の正面の上部左側よりには円形状の枠の中に鍵穴４を設けており、この鍵穴４は略環状に並んだ７個の小穴４ａからなる。この鍵穴４の表面には、雨水が浸入しない様に、上記円形状の枠と同大の、スライド自在な回転式のカバー５が設けられている。
【００２１】
さらに、図１及び図４に示すように、この収納箱Ａの上面の略中央部から右側よりの位置、すなわち、本体１と開閉扉２の各上面の相対向する各端縁が当接する位置に、上記引き紐１２を内側に引き込むための引き込み口１４を設け、さらに、図５に示すように、収納箱Ａの底面、すなわち、本体１及び開閉扉２の底面に並列した複数個の排水用の貫通孔１５を夫々設けている。また、この収納箱Ａの本体１の背面には、図３及び図４に示すように、平面略チャネル形状で両側に挟まれた部分が内側方向に湾曲した電柱Ｂへの当接部１６を夫々設けており、この当接部１６の両側の上下には貫通孔１６ａを夫々有している。
【００２２】
図８は、この考案の実施例の収納箱Ａの開閉扉２を開けた状態の正面図であり、図９は、同収納箱Ａの側面断面図であり、図１０は、同収納箱Ａの鍵機構６の側面図である。
上記開閉扉２の鍵穴４の裏側、すなわち、これらの図に示すように、鍵穴４の収納箱Ａの内側の位置には、鍵機構６を設けており、この鍵機構６は、大小のナット７、開閉扉２を本体１に係止する回転自在な係止片８、パッキン６ａなどから成り、この鍵機構６の中央には、上記ナット７や係止片８を貫通して、水平方向に移動自在であって、通常は本体側に付勢されているハンドルインターロックピン９が挿通されており、これにより、インターロック機構を設けている。
【００２３】
上記インターロック機構は、開閉扉２が閉じられて施錠された状態で、鍵穴４に、後述するハンドル型の鍵を差し込んで施錠を解き、収納箱Ａの開閉扉２が開かれると、開閉扉２が閉じられた状態で開閉扉２側に移動していた上記ハンドルインターロックピン９の動きが開放されて本体１側に戻り、ハンドル型の鍵は把持されて当該鍵穴４内から外れない構成になっている。逆に、収納箱Ａの開閉扉２を閉めてハンドル型の鍵を回して施錠した場合、上記ハンドルインターロックピン９の一端部が収納箱Ａの本体１の内面に当接して押されて移動し、当該ハンドルインターロックピン９を開閉扉２の鍵穴４の方向へ移動させて、この鍵穴４内に差し込まれていたハンドル型の鍵の挿入部（ピン）を押圧し、当該挿入部の把持を解除して当該鍵穴４内を後退させるようになっている。
【００２４】
また、図８に示すように、この収納箱Ａの本体１の内面のやや上方右側よりの位置に、後述する引き紐を括りつけるボルト１０を水平方向に突出させ、このボルト１０の下方には平面四角形状の枡型の枠体を突出させて、後述する引き紐１２の把手部１２ａの収納スペース１１を設けている。
【００２５】
この収納スペース１１の底面は、一部に、傾斜底面を有し、他は開口している。また、本体１の底面及び天井面の対向する位置に夫々受け舌片２１を設けており、これらの各受け舌片２１により、開閉扉２を本体１に閉じた際、確実に閉じられるように、また、一旦閉じた後は不用意に開放しないようになっている。さらに、本体１の左側の内側面の上部に、上記回転自在な係止片８を係止する、平面鈎型の被係止片１３を突出させて設けている。
【００２６】
図１１は、この考案の実施例の収納箱Ａのハンドル型の鍵１７の側面図である。
この収納箱Ａの鍵機構６を開閉する鍵１７は、この図に示すように、略Ｔ字型のハンドル型であって、Ｔ字型の垂直部の基部には端面円形状であってその内側には上記鍵穴４の７個の小穴４ａのうちの何れか３個の小穴４ａの配置に合致したピン（図示省略）を設けた被冠部１７ａを設けている。鍵機構６の開閉の際には、この被冠部１７ａを鍵穴４に被せて各ピンを鍵穴４の中に挿入し合致すると、鍵機構６が開き、鍵１７を回転させると上記係止片８が回転して被係止片１３から外れて、開閉扉２を引っ張ると本体１から開く。
【００２７】
図１２は、この考案の実施例のガイドパイプ１８の一部省略正面図であり、図１３は、同ガイドパイプ１８の側面図である。
また、これらの図に示すように、別途設けられたガイドパイプ１８は、円筒状の本体１８ａとこの本体１８ａを両端付近で支持する二つの支持脚１８ｂからなる。本体１８ａは約１ｍの長さを有し、両端の開口部の内側の端縁は、後述する開閉器の操作用ハンドルの引き紐１２がこのガイドパイプ１８の内側に挿通されるために、当該引き紐１２を傷めないようにアールが取られている（図示省略）。上記支持脚１８ｂは、約１０ｃｍの高さを夫々有し、各支持脚１８ｂの下端部を一定長、一方に略直角に曲げて屈曲片１８ｃとしている。
【００２８】
次に、この収納箱Ａ及びガイドパイプ１８を使用して、電柱Ｂの上部に設置されている開閉器（図示省略）の操作用ハンドル（図示省略）の両端から垂下された引き紐１２を電柱Ｂの下部に取り付け収納する。
図１４は、この考案の実施例の収納箱Ａ及びガイドパイプ１８を電柱Ｂに取り付け、開閉器から垂下された引き紐１２をガイドパイプ１８の中を通して、収納箱Ａ内に引き込み収納した状態の正面図であり、図１５は、その側面図である。
【００２９】
これらの図に示すように、収納箱Ａを立設させ、歩行者等のおよそ手が届かない、電柱Ｂの地上から約２．５ｍの位置に、当該収納箱Ａの背面の湾曲した当接部１６を電柱Ｂに当て、各当接部１６の両側上下の貫通孔１６ａ内に二つのステンレス自在バンド１９を夫々通して、電柱Ｂに巻きまわして固定し取り付ける。
【００３０】
その後、この収納箱Ａから真上の若干離れた位置に、上記ガイドパイプ１８をこの電柱Ｂの側面に沿って、上記二つの支持脚１８ｂにより夫々当接する。そして、これらの支持脚１８ｂの各屈曲片１８ｃを市販の装柱バンド２０に予め設けられた複数の貫通孔の一つに夫々嵌め入れて、これらの各屈曲片１８ｃを装柱バンド２０を介して電柱Ｂに夫々当接させ、当該装柱バンド２０をボルト（図示省略）で強く締め付けて当該ガイドパイプ１８を当該電柱Ｂに立設して取り付ける。
【００３１】
そして、図１４及び図１５に示すように、電柱Ｂの上部の開閉器の操作用ハンドルから垂下された２条の引き紐１２の下端を上記ガイドパイプ１８の上部の開口部から内側に導き入れ、下部の開口部から出して、さらに、図１に示すように、収納箱Ａの開閉扉２を開けて、当該引き紐１２を当該収納箱Ａの上面の本体側の引き込み口１４を通して当該収納箱Ａの内側に引き込み、２条の引き紐１２をボルト１０の周りに巻きまわして縛って固定し、当該各引き紐１２の把手部１２ａを当該収納箱Ａ内の収納スペース１１の中に入れて収納する。さらに、当該収納箱Ａの開閉扉２を閉めて、ハンドル型の鍵１７を回して施錠し、当該鍵１７を鍵穴４から抜く。
【００３２】
その後、上記電柱Ｂ上の開閉器の開閉が必要になった時には、ハンドル型の鍵１７を使って収納箱Ａの開閉扉２を開き、２条の引き紐１２の縛りを解き、当該引き紐１２をフリーの状態にし、地上において、上記ガイドパイプ１８を通して引き紐１２のどちらかの把手部１２ａを引いて上記開閉器を開閉する。
【００３３】
なお、上記実施例においては、収納箱Ａに、略環状に並んだ７個の小穴４ａからなる鍵穴４とハンドル型の鍵１７を採用しているが、鍵穴４や鍵１７はこれらの構成に限るものではなく、当該収納箱Ａを安全に保ち、かつ確実に開閉できるものであれば良い。また、鍵機構６に用いているインターロック機構は、既存の構成のものを使用しており、この考案の必須要件ではない。
【００３４】
また、開閉器のハンドルから垂らす引き紐１２の下端には把手部１２ａを設けているが、この把手部１２ａは、必ずしも必要とするものではない。さらに、ガイドパイプ１８として、また、このガイドパイプ１８を電柱Ｂに取り付ける方法として具体的に述べているが、ガイドパイプ１８の構成、及び取り付け方としては、必ずしも、これらに限るものではなく、内部に引き紐１２を挿通出来、不都合無く、電柱Ｂに取り付けられるものであれば、どの様な構成でも良い。また、上記実施例では、引き紐１２を係止する係止体としてボルト１０を使用しているが。係止体としては適宜のもので良い。
【図面の簡単な説明】
【００３５】
【図１】この考案の実施例の収納箱の中に、開閉器の操作用ハンドルの両端から垂下された引き紐を取り込み、ボルトに巻きまわした後、縛り付けて、引き紐の把手部を収納スペースの中に入れた状態の斜視図である。
【図２】この考案の実施例の収納箱の正面図である。
【図３】この考案の実施例の収納箱の側面図である。
【図４】この考案の実施例の収納箱の平面図である。
【図５】この考案の実施例の収納箱の底面図である。
【図６】この考案の実施例の収納箱の表面に設けた鍵穴の正面図である。
【図７】この考案の実施例の収納箱の鍵穴とこの鍵穴の表面に設けたカバーを１８０度ずらした状態の正面図である。
【図８】この考案の実施例の収納箱の開閉扉を開いた状態の正面図である。
【図９】この考案の実施例の収納箱の側面断面図である。
【図１０】この考案の実施例の収納箱の鍵機構の側面図である。
【図１１】この考案の実施例の収納箱のハンドル型の鍵の側面図である。
【図１２】この考案の実施例のガイドパイプの一部を省略した正面図である。
【図１３】この考案の実施例のガイドパイプの側面図である。
【図１４】この考案の実施例の収納箱及びガイドパイプを電柱に取り付け、開閉器の操作用ハンドルから垂下された引き紐をガイドパイプの中を通して、収納箱内に引き込み収納した状態の一部正面図である。
【図１５】この考案の実施例の収納箱及びガイドパイプを電柱に取り付け、開閉器の操作用ハンドルから垂下された引き紐をガイドパイプの中を通して、収納箱内に引き込み収納した状態の一部側面図である。
【符号の説明】
【００３６】
Ａ    収納箱                            Ｂ    電柱
１    本体                              ２    開閉扉
４    鍵穴                              ９    ハンドルインターロックピン
１０    ボルト                          １１    収納スペース
１２    引き紐                          １５    貫通孔
１７    鍵                              １８    ガイドパイプ
２０    装柱バンド
【図１】
0003125492.tif 000003
【図２】
0003125492.tif 000004
【図３】
0003125492.tif 000005
【図４】
0003125492.tif 000006
【図５】
0003125492.tif 000007
【図６】
0003125492.tif 000008
【図７】
0003125492.tif 000009
【図８】
0003125492.tif 000010
【図９】
0003125492.tif 000011
【図１０】
0003125492.tif 000012
【図１１】
0003125492.tif 000013
【図１２】
0003125492.tif 000014
【図１３】
0003125492.tif 000015
【図１４】
0003125492.tif 000016
【図１５】
0003125492.tif 000017